(57)【要約】【課題】  使い勝手が向上したヘッドランプを提供する。【解決手段】  ヘッドランプ１００は、電池７を収容する略円筒状の電池収容部５と発光ダイオード８を収容して電池収容部５の外周側面中央に形成された略円筒状の投光部６とを有する本体ケース４を備え、発光ダイオード８と電池７とを電気的に接続する回路部９と、回路部９の電気的接続状態を切り換えるスイッチ１０とを電池収容部５内に設け、電池収容部５に対して投光部６の反対側に配置されて電池収容部５を保持する保持部材３を有し、この保持部材３に結束ベルト２を連結し、この結束ベルト２を保持部材３に着脱自在に連結するバックル１を設けた。【選択図】  図１
2006210030.tif 000002
【特許請求の範囲】
【請求項１】
電池を収容する略円筒状の電池収容部と光源を収容して電池収容部の外周側面中央に形成した略円筒状の投光部とを有する本体ケースを備え、光源と電池とを電気的に接続する回路部と、回路部の電気的接続状態を切り換えるスイッチとを電池収容部内に設け、電池収容部に対して投光部の反対側に配置されて電池収容部を保持する保持部材を有し、この保持部材に結束ベルトを連結したヘッドランプにおいて、この結束ベルトを保持部材に着脱自在に連結するバックルを設けたことを特徴とするヘッドランプ。
【請求項２】
投光部の中心軸に垂直で電池収容部の中心軸を含む平面を基準平面としたときに、電池収容部は、上下方向に回動可能に保持される請求項１記載のヘッドランプ。
【請求項３】
結束ベルトは、エラストマー、天然ゴムまたは合成ゴムにより構成される請求項１記載のヘッドランプ。
【請求項４】
回路部は光源へのエネルギー供給をコントロールする機能を有し、スイッチは光源を調光する複数の状態を有する請求項１記載のヘッドランプ。
【請求項５】
光源は発光ダイオードにより構成される請求項１記載のヘッドランプ。
【発明の詳細な説明】
【技術分野】
【０００１】
本発明は、電池を電源として、夜間に頭や首に装着してハンドフリーで使用されるヘッドランプに関する。
【背景技術】
【０００２】
使用者の頭部に巻きつける結束ベルトを本体に連結して電池を電源とするヘッドランプが従来から知られている（例えば特許文献１参照）。一旦頭に取り付けた状態から首に装着してヘッドランプを使う場合には、頭に巻き付けた結束ベルトを、その弾力性を活かして手で延ばして、そのままヘッドランプ本体とともに首まで下ろして首に掛けていた。
【特許文献１】特開平１１−２２４５０１号公報
【発明の開示】
【発明が解決しようとする課題】
【０００３】
しかしながら上記構成では、弾力性が小さいゴム等の材質で結束ベルトが構成されていると、ヘッドランプ本体を頭から首に下ろす際に、結束ベルトに髪の毛等が絡み、首に掛けたときの装着性が悪くなるという問題がある。
【０００４】
また結束ベルトの口径を変更する手段をヘッドランプに設けることも考えられるが、ヘッドランプを頭から首に下ろそうとする度に、髪の毛が絡まない大きさに結束ベルトの口径を変更する必要があり、使い勝手が悪くなるという問題がある。
【０００５】
本発明の目的は、上記従来例の問題点を解決し得るヘッドランプを提供することにある。
【課題を解決するための手段】
【０００６】
本発明に係るヘッドランプは、電池を収容する略円筒状の電池収容部と光源を収容して電池収容部の外周側面中央に形成した略円筒状の投光部とを有する本体ケースを備え、光源と電池とを電気的に接続する回路部と、回路部の電気的接続状態を切り換えるスイッチとを電池収容部内に設け、電池収容部に対して投光部の反対側に配置されて電池収容部を保持する保持部材を有し、この保持部材に結束ベルトを連結したヘッドランプにおいて、この結束ベルトを保持部材に着脱自在に連結するバックルを設けたことを特徴とする。
【０００７】
この構成によれば、結束ベルトを保持部材に着脱自在に連結するバックルを設けたので、頭部に装着したヘッドランプを首に下ろすときに、バックルを保持部材から一旦脱離させ、首に掛けた状態で再度バックルを保持部材に連結してヘッドランプを首に装着することができる。
【０００８】
投光部の中心軸に垂直で電池収容部の中心軸を含む平面を基準平面としたときに、電池収容部は、上下方向に回動可能に保持されると好適である。本体ケースを頭に装着した状態で、投光部を上側に回動させることができ、下側に回動させることもできる。このため、頭に装着した状態では下側前方を照らすことができるとともに、ヘッドランプを首に掛けた状態では斜め上方を照らすことができる。
【０００９】
結束ベルトは、エラストマー、天然ゴムまたは合成ゴムにより構成されると好適である。これらの材料は海水に対する耐久性が高いので、海中で好適に使用できるからである。
【００１０】
回路部は光源へのエネルギー供給をコントロールする機能を有し、スイッチは光源を調光する複数の状態を有すると好適である。光源のオン・オフ操作のみならず、光源の調光操作も行うことができるからである。
【００１１】
光源は発光ダイオードにより構成されると好適である。豆電球により構成した場合の衝撃、振動による豆電球切れのおそれが少ないからである。
【発明の効果】
【００１２】
本発明によれば、通常は頭に装着して使用するヘッドランプを容易に首に掛けて使用することができるので、ヘッドランプの身体への装着部位を状況に応じて変更することができる。そのため、使い勝手が向上したヘッドランプを提供することができる。
【発明を実施するための最良の形態】
【００１３】
図１は本実施の形態に係るヘッドランプ１００の外観を示す斜視図であり、図２はその分解斜視図である。ヘッドランプ１００は本体ケース４を備え、本体ケース４は略円筒状の電池収容部５を有する。電池収容部５内には、電池ホルダ１４に保持された４本の電池７が収容される。本体ケース４には、電池収容部５の外周側面中央に形成した略円筒状の投光部６が設けられる。投光部６は、電池収容部５と一体に形成した略円筒状の投光ベース部３２を有する。
【００１４】
図３は、ヘッドランプ１００の回路図である。投光部６は、投光ベース部３２内に収容されて発光ダイオード８を取り付けたＬＥＤホルダ１８を有する。発光ダイオード８と電池７とを電気的に接続する回路部９と、回路部９の電気的接続状態をオフ状態、強状態及び弱状態に切り換えるスイッチ１０とが電池収容部５内に設けられる。
【００１５】
投光部６は、ＬＥＤホルダ１８に取り付けられたレンズホルダ２０と、レンズホルダ２０に保持されて発光ダイオード８からの光を収束させるレンズ１９と、レンズホルダ２０に取り付けられたリング部材２２と、投光ベース部３２に螺合する円筒部材２３と、円筒部材２３及び投光ベース部３２を覆うように取り付けられたレンズキャップ２１とを有する。電池収容部５の外周側面には、連結溝２６及び２７が投光ベース部３２の両側に周設される。
【００１６】
電池収容部５に対して投光部６の反対側に保持部材３が配置される。保持部材３は、ベース１６を有する。ベース１６の電池収容部５側には一対の凹部３６及び一対の凹部３７が、連結溝２６及び２７に対応する位置にそれぞれ形成される。ベース１６の電池収容部５と反対側にはパッド１７が貼り付けられる。保持部材３は、連結溝２６及び２７にそれぞれ嵌合して電池収容部５をベース１６に連結するＵ字環１２及び１３を有する。Ｕ字環１２及び１３にそれぞれ形成された固定用突起２９及び３０は、凹部３６及び３７にそれぞれ嵌入される。Ｕ字環１２及び１３により保持された電池収容部５は、レンズキャップ２１が上側を向く矢印Ａ２の方向に約６０度回動可能に、レンズキャップ２１が下側を向く矢印Ａ３の方向に約９０度回動可能に保持される。
【００１７】
電池収容部５の連結溝２６側には、回動によりスイッチ１０を操作する略円筒状の回転操作ノブ１１が嵌合される。電池収容部５の連結溝２７側には、略円筒状の電池キャップ１５が螺合される。
【００１８】
ベース１６には、本体ケース４を使用者のひたいに保持するために頭部に巻き付けられる結束ベルト２が連結される。結束ベルト２は、エラストマー、天然ゴムまたは合成ゴムにより構成される。これらの材料は海水に対する耐久性が高いので、海中で好適に使用できるからである。海水中以外で使うヘッドランプの場合は、結束ベルト２はゴム質の材料が編み込まれた布製素材により構成してもよい。結束ベルト２の一端はバックル１に連結される。バックル１は、一対の解除部材３１を有し、ベース１６の凹部３７側の端面に形成されたバックル連結部２５に着脱自在に連結される。結束ベルト２は、長さ調整具２４により頭部への結束口径を調整できるように構成される。
【００１９】
このように構成されたヘッドランプ１００は、ベース１６に形成したバックル連結部２５にバックル１を連結した状態で結束ベルト２の弾性力により頭部に装着される。そして頭部に装着したヘッドランプ１００を首に掛けて使用する際には、一対の解除部材３１を挟むように押さえながらバックル１をバックル連結部２５から引き出して離脱させる。次に結束ベルト２を首に巻き、バックル１をバックル連結部２５に押し込んで連結することにより、ヘッドランプ１００の装着部位を頭部から首に移動させることができる。本実施の形態のヘッドランプ１００では、レンズキャップ２１が上側を向く矢印Ａ２の方向に電池収容部５を回動させることができるので、ヘッドランプ１００を首に掛けた状態で斜め上方を照らすことができ、好適である。
【００２０】
本実施の形態では従来の豆電球と反射鏡とによる構成ではなく、光源を発光ダイオードにしてレンズ１９により集光する構成にしたので、投光部を小さくすることができ、下向きのみならず上向きの回動も可能になった。
【産業上の利用可能性】
【００２１】
本発明は、電池を電源として、夜間に頭や首に装着してハンドフリーで使用されるヘッドランプに適用することができる。
【図面の簡単な説明】
【００２２】
【図１】本実施の形態に係るヘッドランプの斜視図
【図２】本実施の形態に係るヘッドランプの分解斜視図
【図３】本実施の形態に係るヘッドランプの回路図
【符号の説明】
【００２３】
１  バックル
２  結束ベルト
３  保持部材
４  本体ケース
５  電池収容部
６  投光部
７  電池
８  発光ダイオード
９  回路部
１０  スイッチ
１００  ヘッドランプ
【図１】
2006210030.tif 000003
【図２】
2006210030.tif 000004
【図３】
2006210030.tif 000005